(57)【要約】【課題】  液滴吐出装置における記録媒体の搬送手段を洗浄する洗浄装置を交換可能とすることにより、簡単な構成で搬送手段の洗浄能力安定化、および小型軽量化を図る。【解決手段】  インクジェット記録装置１は、用紙Ｐにインクを吐出して画像を記録するためのヘッドユニット２と、ヘッドユニット２に用紙Ｐを搬送する搬送ベルト１１と、搬送ベルト１１の表面を清掃するための洗浄液Ｌの入った洗浄液保持容器４を備え、ヘッドユニット２は、搬送ベルト１１の表面にインクを空吐出する機能を有し、洗浄液保持容器４は洗浄液Ｌを保持する洗浄槽２０と、開閉が可能に洗浄槽２０に支持された蓋部２１と、蓋部２１の開放時に洗浄槽２０の搬送ベルト１１の搬送方向下流側に、搬送ベルト１１の表面のワイピングを行うワイパー２３，２４を備え、インクジェット記録装置１本体に着脱が可能に構成する。【選択図】      図１
2005319650.tif 000002
【特許請求の範囲】
【請求項１】
記録媒体に機能液を吐出して画像を記録するための記録部と、該記録部に前記記録媒体を搬送する搬送手段と、該搬送手段の表面を清掃するための液体の入った洗浄部を備えた液体吐出装置であって、
前記記録部は、前記搬送手段の表面に前記機能液を吐出して空吐出する機能を有する記録部であって、
前記洗浄部が前記液体吐出装置本体に着脱可能に構成されていることを特徴とする液体吐出装置。
【請求項２】
請求項１に記載の液体吐出装置において、
前記洗浄部は、前記液体を保持するカートリッジからなることを特徴とする液体吐出装置。
【請求項３】
請求項２に記載の液体吐出装置において、
前記カートリッジは、前記液体を保持する洗浄槽と、前記洗浄槽に開閉可能に支持された蓋部とを備え、
前記蓋部は、その開放時に前記洗浄槽の前記搬送手段の搬送方向下流側の位置に配置され、前記搬送手段の表面のワイピングを行うワイピング手段を備えたことを特徴とする液体吐出装置。
【請求項４】
請求項２又は３に記載の液体吐出装置において、
前記カートリッジを移動させる移動手段を備え、該移動手段は、前記搬送手段が前記カートリッジの前記液体中を通過可能な第１位置と、前記カートリッジの取外しが可能な前記搬送手段が前記液体と離れた第２の位置とに移動させることが可能に構成されていることを特徴とする液体吐出装置。
【請求項５】
請求項２乃至４の何れか一項に記載の液体吐出装置において、
前記カートリッジに保持された前記液体の濃度が所定値に達したことを検出する検出部と、該検出部により前記液体の濃度が所定値に達したことが検出されると、前記カートリッジの交換を促す旨を報知する報知手段を備えたことを特徴とする液体吐出装置。
【請求項６】
請求項２乃至５の何れか一項に記載の液体吐出装置において、
前記液体に浸漬する前記搬送手段に振動を付与する振動発生装置を備えたことを特徴とする液体吐出装置。
【請求項７】
請求項１乃至６の何れか一項に記載の液体吐出装置において、
前記搬送手段のすくなくとも表面が撥液性の材質で形成されていることを特徴とする液体吐出装置。
【請求項８】
記録媒体に機能液を吐出して画像を記録するための記録部と、該記録部に前記記録媒体を搬送する搬送手段とを備えた液体吐出装置の本体に着脱可能に構成されたカートリッジであって、
液体を保持する洗浄槽と、前記洗浄槽に開閉可能に支持された蓋部とを備え、
前記蓋部は、その開放時に前記洗浄槽の前記搬送手段の搬送方向下流側の位置に配置され、前記搬送手段の表面のワイピングを行うワイピング手段を備えたことを特徴とするカートリッジ。
【発明の詳細な説明】
【技術分野】
【０００１】
本発明は、記録媒体に機能液を吐出する記録部により記録媒体の搬送手段の表面に機能液を空吐出する液滴吐出装置に関し、特に搬送手段の表面に空吐出により吐出された機能液を洗浄する液滴吐出装置及びカートリッジに関する。
【背景技術】
【０００２】
液滴吐出装置として、記録媒体に機能液（例えば、インク）を吐出して文字や画像等の記録（印刷）を行うインクジェット記録装置が広く知られている。この種の液滴吐出装置は、インクを記録ヘッドのノズルから吐出させて記録媒体に記録を行う。しかし、記録ヘッドのノズルは、長期間の休止時あるいは記録動作中に、不使用のノズルは、乾燥ないしは蒸発によって、ノズル内のインクが増粘することにより目詰まりが発生し、正常な機能液の吐出が行えなくなることが知られている。
【０００３】
この不使用のノズルの目詰まりを回復する方法として、記録領域外にノズル回復処理領域を配置して、インク吸収部材などにインク吐出を行うノズルリフレッシュ方法（以下、空吐出と表記する）が知られている。小型の記録ヘッドを紙送り方向と直交する方向にスキャンして画像等を形成するシリアルヘッド記録装置の場合は、スキャンの往路と復路との切り替えのタイミングに、作象部以外の場所に配されたインク吸収材に空吐出を行う事が容易に出来るため、効果的方法といえる。また、この方法によれば空吐出のためのヘッド移動に要する時間も短時間で済む効果もある。
【０００４】
しかし、多数の記録ヘッドを有するマルチヘッド記録装置や、記録媒体の記録幅に対応した範囲にわたって機能液の吐出口を配列したライン状のヘッドを有するラインヘッド記録装置においては、記録ヘッドの移動距離が長くなり記録ヘッド移動に時間を要すため、容易には退避場所へ記録ヘッドを移動することができない等の課題がある。
【０００５】
こうしたラインヘッド記録装置に対応するために、記録紙を搬送する搬送手段と、搬送手段を清掃するためのクリーニング手段とを有し、搬送手段の表面にインクの吐出を行う画像記録装置が開示されている（例えば、特許文献１参照）。
【０００６】
あるいは、搬送ベルトに搬送され印刷された記録媒体である布帛を剥がした後に、搬送ベルトを水で洗浄して印刷時に付着したインクを除去し、乾燥させてから、再び印刷されていない布帛に接触させて搬送する搬送装置が開示されている（例えば、特許文献２参照）。
【０００７】
【特許文献１】特開平２−１７９７４７号公報
【特許文献２】特開２００３−２０５６５８号公報
【発明の開示】
【発明が解決しようとする課題】
【０００８】
上記の特許文献１によれば、搬送手段に直接空吐出が可能となるが、連続多孔質部材を用いたクリーニング手段は、多孔質部材のセル密度に洗浄度が大きく関わり、セル中にインク成分が残るなど搬送手段の完全な洗浄ができ難く、搬送手段の表面に汚れが残ることにより、記録紙の裏面汚れの発生が懸念される。また、特許文献２によれば、洗浄を水等の液体で行う場合、液体容量が有限であるため洗浄液が高濃度になりやすく、洗浄液内のインク成分の濃度上昇による洗浄力低下が懸念される。また、洗浄力安定化のために洗浄液容量を多くした場合には、装置の大型化が避けられず、洗浄液の交換にポンプなどの装置を用いる必要があり、装置全体の大型化が避けられないという課題もある。
【０００９】
そこで、本発明は、液滴吐出装置における記録媒体の搬送手段を洗浄する洗浄装置を交換可能とすることにより、簡単な構成で搬送手段の洗浄能力安定化、および小型軽量化を図ることが可能な液滴吐出装置を提供することを目的とする。また、ユーザが処理しなければならない廃棄物を少数にした液滴吐出装置を提供することを第２の目的とする。
【課題を解決するための手段】
【００１０】
上記問題を解決するために、本発明の液滴吐出装置は、記録媒体に機能液を吐出して画像を記録するための記録部と、該記録部に前記記録媒体を搬送する搬送手段と、該搬送手段の表面を清掃するための液体の入った洗浄部を備えた液体吐出装置であって、前記記録部は、前記搬送手段の表面に前記機能液を吐出して空吐出する機能を有する記録部であって、前記洗浄部が前記液体吐出装置本体に着脱可能に構成されていることを特徴とする。
【００１１】
上記構成によれば、洗浄部が記録装置本体に着脱（交換）が可能なことにより、搬送手段の表面を清掃した液体の機能液成分の濃度上昇時には、洗浄部を交換することにより液体の洗浄能力安定化を図った液滴吐出装置を提供することことができる。
【００１２】
また、本発明の液滴吐出装置は、前記洗浄部は、前記液体を保持するカートリッジからなることを特徴とする。
上記構成によれば、洗浄部が液体を保持するカートリッジであることにより、搬送手段の表面を清掃した液体の機能液成分の濃度上昇時には、カートリッジ（洗浄部）を交換することにより、簡単な構成で液体の洗浄能力安定化を図るとともに、小型軽量の液滴吐出装置を提供することができる。
【００１３】
また、本発明の液滴吐出装置は、前記カートリッジは、前記液体を保持する洗浄槽と、前記洗浄槽に開閉可能に支持された蓋部とを備え、前記蓋部は、その開放時に前記洗浄槽の前記搬送手段の搬送方向下流側の位置に配置され、前記搬送手段の表面のワイピングを行うワイピング手段を備えたことを特徴とする。
【００１４】
上記構成によれば、洗浄槽の搬送手段の搬送方向下流側に、搬送手段の表面のワイピングを行うワイピング手段を備えたことにより、搬送手段の表面に付着した機能液残りを拭き取る（除去する）とともに、搬送手段に付着した液体を拭き取ることできる。すなわち、印刷媒体が機能液で汚れることを防止するとともに、液体の濡れによる記録画像の滲み、あるいは濡れによる表面形状の歪み発生（コックリング）などによる、記録不良や記録不能を防止することができる。
【００１５】
また、本発明の液滴吐出装置は、前記カートリッジを移動させる移動手段を備え、該移動手段は、前記搬送手段が前記カートリッジの前記液体中を通過可能な第１位置と、前記カートリッジの取外しが可能な前記搬送手段が前記液体と離れた第２の位置とに移動させることが可能に構成されていることを特徴とする。
上記構成によれば、カートリッジを移動手段により移動させることで、必要時にカートリッジを容易に取外す（交換する）ことができる。また、カートリッジが取外しが可能に構成されることにより、ユーザが処理しなければならない廃棄物を少数とし、しかもカートリッジの提供（販売）メーカーにおいて、液体（廃液）処理後の洗浄液保持容器を再利用することが可能であり、環境にやさしい液滴吐出装置を提供することができる。
【００１６】
また、本発明の液滴吐出装置は、前記カートリッジに保持された前記液体の濃度が所定値に達したことを検出する検出部と、該検出部により前記液体の濃度が所定値に達したことが検出されると、前記カートリッジの交換を促す旨を報知する報知手段を備えたことを特徴とする。
上記構成によれば、検出部がカートリッジに保持された液体の汚れ具合を確実に検出し、しかも報知手段により液体の交換の必要性を確実に認知することができ、常に汚れのない記録媒体の搬送が可能な液滴吐出装置を提供することができる。
【００１７】
また、本発明の液滴吐出装置は、前記液体に浸漬する前記搬送手段に振動を付与する振動発生装置を備えたことを特徴とする。
上記構成によれば、液体に浸漬する前記搬送手段に振動を付与する振動発生装置を備えたことにより、搬送手段がカートリッジの液体中を通過することによる搬送手段の洗浄を、さらに洗浄力の強化を図ることができる。
【００１８】
また、本発明の液滴吐出装置は、前記搬送手段のすくなくとも表面が撥液性の材質で形成されていることを特徴とする。
上記構成によれば、搬送手段のすくなくとも表面が撥液性の材質で形成されていることにより、特別な装置を用いることなく搬送手段の表面のワイピングを行うワイピング手段のみで搬送手段の表面に付着した機能液の清掃ができる。
【００１９】
また、本発明のカートリッジは、記録媒体に機能液を吐出して画像を記録するための記録部と、該記録部に前記記録媒体を搬送する搬送手段とを備えた液体吐出装置の本体に着脱可能に構成されたカートリッジであって、液体を保持する洗浄槽と、前記洗浄槽に開閉可能に支持された蓋部とを備え、前記蓋部は、その開放時に前記洗浄槽の前記搬送手段の搬送方向下流側の位置に配置され、前記搬送手段の表面のワイピングを行うワイピング手段を備えたことを特徴とする。
【００２０】
上記構成によれば、カートリッジは、液体を保持する洗浄槽と洗浄槽の搬送手段の搬送方向下流側に、搬送手段の表面のワイピングを行うワイピング手段を備えたことにより、搬送手段の表面に付着した機能液を拭き取る（除去する）とともに、搬送手段に付着した液体を拭き取ることできる。さらに、搬送手段の表面を清掃した液体の機能液成分の濃度上昇時には、カートリッジを交換することにより、液体の洗浄能力安定化が図れるとともに、小型軽量の液滴吐出装置を提供することができる。
【発明を実施するための最良の形態】
【００２１】
以下、図面に基づいて本発明の液滴吐出装置の実施形態を説明する。なお、本実施形態では、本発明の液滴吐出装置を、機能液としてのインクを記録媒体としての印刷用紙に吐出して画像を印刷するインクジェット記録装置に適用した一例を説明する。
図１は、本発明のインクジェット記録装置の概略構造を示す模式図であり、図２は洗浄液保持容器の説明図である。
【００２２】
図１において、インクジェット記録装置１は、インク滴を吐出し画像を記録するための記録部としてのヘッドユニット２と、ヘッドユニット２に記録媒体としての用紙Ｐを搬送する搬送装置３と、搬送装置３の搬送ベルト１１を清掃するための洗浄部としての洗浄液保持容器４と、洗浄液保持容器４の装置へのセット案内および保持をするガイド５と、ガイド５（ガイド５にセットされた洗浄液保持容器４）を装置の上下方向に移動させる移動手段としてのリフト６と、用紙Ｐを搬送装置３に給紙する給紙ユニット７と、用紙Ｐを搬送装置３から排紙する排紙ユニット８と、制御部９と、報知部１０とを備えている。
【００２３】
ヘッドユニット２は、多数のインク吐出ノズルを配列した多数種類のインクに対応したインクジェットヘッドを、用紙Ｐの全幅方向にわたって配置した（図示せず）、いわゆるラインヘッドで構成されている。
【００２４】
搬送装置３は、用紙Ｐを搬送する環状の搬送ベルト１１と、搬送ベルト１１を駆動させる駆動ローラ１２と、搬送ベルト１１を支持する３つの従動ローラ１３，１４，１５とを備えている。
【００２５】
搬送ベルト１１は、撥液性の材質で形成され、例えばフッ素樹脂のＦＥＰ（テトラフルオロエチレン・ヘキサフルオロプロピレン共重合体）からなり、駆動ローラ１２と従動ローラ１５に支持されて、ヘッドユニット２のインク滴吐出口に対向する用紙搬送部（給紙ユニット７側の用紙搬入部位から排紙ユニット８側の用紙搬出部位まで）と、駆動ローラ１２と従動ローラ１３，１４とに支持されるとともに、従動ローラ１３に案内されるベルト部分の角度が用紙搬送部に対して鋭角を為すように略Ｖ字形状に構成されている洗浄部とを有する。
駆動ローラ１２は、制御部９により駆動制御されるモータ１６により駆動する。
【００２６】
洗浄液保持容器４は、搬送ベルト１１を清掃するための液体としての洗浄液Ｌを保持するカートリッジであり、ガイド５に着脱（交換）可能に案内、保持される。この洗浄液保持容器４の構成について図２に基づいて説明する。
【００２７】
洗浄液保持容器４は、洗浄液Ｌを保持する洗浄槽２０と、洗浄槽２０にヒンジ２２で支持され開閉可能に取付けられた蓋部２１とで構成されている。洗浄槽２０の内部には、搬送ベルト１１の表面に密着し、洗浄液Ｌが搬送ベルト１１に残ることを防止するためのワイピング手段としての第一のワイパー２４と、洗浄槽２０内の洗浄液Ｌの濃度を検出するための濃度検出手段としての濃度検出センサ２５が備えられている。また、蓋部２１の先端には、第一のワイパー２４と同様に洗浄液Ｌが搬送ベルト１１に残ることを防止するためのワイピング手段としての第二のワイパー２３が備えられている。
【００２８】
なお、蓋部２１は洗浄槽２０の開口部を覆う広さの蓋であり、蓋部２１を閉蓋操作することにより、蓋部２１は洗浄槽２０の開口部を閉じた状態に固定され、洗浄槽２０内の洗浄液Ｌが漏れ出さない構造を有している。また、洗浄槽２０から蓋部２１を開蓋操作すると、蓋部２１はヒンジ２２に支持されて所定の位置に固定される。このワイパー２３，２４は、弾性を有する例えばゴムなどからなり、所定の位置は図１及び図２に示すように、蓋部２１の開蓋時に、搬送ベルト１１が従動ローラ１３と従動ローラ１４に支持される部位の表面に、おのおの弾圧して接触するように配置される。
【００２９】
洗浄槽２０内部に保持する洗浄液Ｌは、搬送ベルト１１を清掃するための洗浄液であり、洗浄液として、例えば水を用いる。
濃度検出センサ２５は、例えば光学センサからなり、洗浄槽２０に貯水された液体中に配置されている。この濃度検出センサ２５の構成及び濃度検出方法については、図３に基づいて後述する。この洗浄液保持容器４は装置本体１００のガイド５に案内されて着脱（交換）可能に保持される。
【００３０】
リフト６は、ガイド５（ガイド５にセットされた洗浄液保持容器４）を装置本体１００の上下方向に移動させる移動手段であり、制御部９の制御信号に基づいて、リフト６の本体に組み込まれたリニアモータ１７を駆動して、装置本体の上下方向に移動させる。洗浄液保持容器４を装置本体１００から着脱（交換）する際は、搬送ベルト１１の従動ローラ１３の部位が洗浄液Ｌに略半浸漬して洗浄液Ｌ中を通過可能な第１の位置から、従動ローラ１３の部位が洗浄液Ｌと離れた第２の位置に移動させる。
【００３１】
給紙ユニット７は、用紙Ｐを搬送装置３に給紙するユニットであり、搬入ローラ、ピンチローラ、用紙カセット（いずれも図示せず）等を備え、用紙Ｐを用紙カセットから給紙ローラにより１枚ずつ搬送ベルト１１（用紙搬入部）上に送りだす。
排紙ユニット８は、用紙Ｐを搬送装置３（用紙搬出部）から排紙するユニットであり、排出ローラ、ピンチローラ、排紙トレイ（いずれも図示せず）等を備え、ヘッドユニット２において画像が記録され、搬送ベルト１１上に搬送された用紙Ｐを排紙トレイに排出する。
【００３２】
制御部９は、印刷処理（記録処理）や各種処理を実行するＣＰＵ（Central Processing Unit）と、ホストコンピュータなどからインタフェイス（ＩＦ）を介して入力される印刷データ（記録データ）をデータ格納領域に格納する、あるいは各種データを一時的に格納するＲＡＭ（Random Access Memory）と、各部を制御する制御プログラム等を格納するＲＯＭ（Read-Only Memory）等を備えている。
【００３３】
報知部１０は、濃度検出回路において検出した、洗浄槽２０内の洗浄液Ｌの濃度が所定値に達した場合に、制御部９からの出力信号に基づいて洗浄液Ｌの濃度が所定値に達したことを報知する手段であり、例えば、インクジェット記録装置１の本体表面に配置され点燈表示されるＬＥＤランプ（図示しない）からなる。
【００３４】
以下、インクジェット記録装置１の動作について説明する。
インクジェット記録装置１に電源が投入されると、制御部９のＣＰＵにおいて、今回の電源投入以前の電源切断からの経過時間を計算して、経過時間が所定の時間を経過している場合に、制御部９がヘッドドライバ（図示せず）を介してヘッドユニット２に所定の時間、駆動信号を出力し、ヘッドユニット２の各ラインヘッドのインク吐出ノズルからインク滴を、搬送ベルト１１の表面に空吐出する。
【００３５】
こうした空吐出により、例えば長期間の休止時にヘッドユニット２のノズル内のインクが乾燥ないしは蒸発によって増粘することにより発生した目詰まりの回復を行うことができる。搬送ベルト１１の表面にインク滴を吐出する空吐出は、印刷（記録）動作中においても、印刷に不使用なノズルあるいは、使用頻度の少ないノズルの乾燥ないしは蒸発による目詰まりの回復を適宜行う。この空吐出は、例えば用紙Ｐの印刷枚数が所定数に達した場合に、印刷された用紙Ｐが排出され、次に印刷する用紙Ｐが搬入される間において行なわれる。
【００３６】
そして、表面にインク滴が空吐出された搬送ベルト１１は、制御部９の制御信号に基づいて駆動された駆動ローラ１２と、駆動ローラ１２の駆動により搬送される搬送ベルト１１に従動する従動ローラ１３，１４，１５により、洗浄液保持容器４の洗浄液Ｌが入った洗浄槽２０の洗浄液Ｌ中を移動しながら通過し、搬送ベルト１１に着弾したインク滴がクリーニング（清掃）される。
【００３７】
そして、洗浄液Ｌ中を移動しながら着弾したインク滴がクリーニング（清掃）された搬送ベルト１１は、さらに駆動ローラ１２で搬送されることにより、搬送ベルト１１の表面に密着する洗浄液保持容器４の洗浄槽２０内部に備えられた第一のワイパー２４と、開蓋された蓋部２１の第二のワイパー２３とにより、搬送ベルト１１表面に残った洗浄液Ｌが拭かれる（ワイピングされる）。
【００３８】
搬送ベルト１１の表面は、インク滴が流れ出してインクジェット記録装置１内を汚さないためのインク保持能力と、クリーニングによる搬送ベルト１１の表面からの良好な剥離性が要求されるが、搬送ベルト１１は、フッ素樹脂の例えばＦＥＰで構成されていることにより、搬送ベルト１１に着弾したインク滴の保持能力、および洗浄液Ｌ（水）洗浄によるインク滴剥離性が良好なクリーニングを行うことができる。この水洗浄では、インクが顔料インクなどの剥離性の悪いインクに対しても良好なインク剥離性を示す。
【００３９】
また、洗浄液Ｌによりクリーニングを行うことは、洗浄液Ｌがインクと同じ液状であるため、セル密度の影響を受けないという利点を有する。さらに、洗浄液Ｌ中にインク成分が稀釈されるため、繰り返しクリーニングを行ってもクリーニング力の低下を招きにくく、クリーニング部の寿命を長く保つことができる。
そして、洗浄槽２０の洗浄液Ｌ中を移動しながら通過した搬送ベルト１１の空吐出された部位は、用紙搬入部に戻る。
【００４０】
用紙搬入部では、給紙ユニット７から送りだされた用紙Ｐが、搬送ベルト１１上に搬入（給紙）され、そしてヘッドユニット２の印刷（記録）領域に搬送される。
印刷領域に搬送された用紙Ｐは、搬送ベルト１１に搬送移動されながら、ヘッドユニット２のノズルからインク滴が吐出されて印刷データに基づく印刷が行われる。
【００４１】
用紙Ｐへの印刷は、制御部９において、ＩＦを介してホストコンピュータから入手し、ＲＡＭに格納された印刷データを、ＣＰＵにおいて所定の処理を実行し、ヘッドユニット２の各ノズルから、用紙Ｐにインク滴が吐出されて印刷データに基づく画像の印刷（記録）が行われる。そして、印刷が行われた用紙Ｐは、搬送ベルト１１により用紙排出部に搬送され、排紙ユニット８の排紙トレイに排出される。
【００４２】
搬送ベルト１１は、こうした搬送動作の一周毎に、洗浄液保持容器４の洗浄液Ｌが入った洗浄槽２０の洗浄液Ｌ中を移動しながら通過することにより、常にクリーニングされ、そして、洗浄槽２０に備えられたワイパー２３と、蓋部２１に備えられたワイパー２４との２つのワイパーで拭かれて（ワイピングされて）、搬送ベルト１１に残った洗浄液Ｌが除去される。
【００４３】
次に、濃度検出センサ２５の構成及び濃度検出方法を、図３に示す濃度検出センサの検出方法を模式的に示す回路図に基づいて説明する。
濃度検出センサ２５は、発光素子としての発光ダイオード５０ａを内蔵する発光部５０と、受光素子としてのフォトトランジスタ５１ａを内蔵する受光部５１とで構成されている。
【００４４】
発光部５０（発光ダイオード５０ａ）と受光部５１（フォトトランジスタ５１ａ）は、所定の距離の隙間で対向するように配置され、発光部５０と受光部５１の隙間部が洗浄液Ｌに浸水可能に一体に構成されている。なお、発光部５０及び受光部５１は、発光ダイオード５０ａの発光面及びフォトトランジスタ５１ａの受光面以外は、光の漏れを防止するために、例えば黒色のＰＯＭ（ポリアセタール）樹脂で形成されている。
【００４５】
また、発光ダイオード５０ａは、インクジェット記録装置１に用いるインクの色に対する補色の関係にある波長を発光する発光素子を選択すれば良い。例えば機能液として、イエロー，マゼンタ，シアン，ブラックの４色のインクを用いる場合は、発光ダイオード５０ａとして、例えば白色ＬＥＤを選ぶことにより、感度が高く、Ｓ／Ｎ比の優れた検出が可能になる。
【００４６】
濃度検出回路は、２つの抵抗素子Ｒと、アナログデジタル変換器（ＡＤ変換器）５２とで構成されている。この濃度検出回路は、制御部９と共にインクジェット記録装置１本体内に配置された図示しない回路基板上に構成される。なお、抵抗素子Ｒは、フォトトランジスタ５１ａからの出力信号を電圧として取り出すために設けられている。
【００４７】
発光ダイオード５０ａから発せられた光は、フォトトランジスタ５１ａに到達し、フォトトランジスタ５１ａが受光した光の量に比例した電圧値が、アナログ信号としてＡＤ変換器５２に出力される。ＡＤ変換器５２では、フォトトランジスタ５１ａから入力したアナログ信号がデジタル信号に変換されて、出力信号として制御部９へ出力される。
制御部９は、入力されたデジタル信号に基づいてインク濃度を判定し、インク濃度が所定値を上回っている場合に、その旨を報知部１０に出力する。なお、発光ダイオード５０ａに印加される電圧値は所定電圧値に固定されている。
【００４８】
この様に構成された、濃度検出センサ（濃度検出回路）２５の濃度検出動作について説明する。
【００４９】
洗浄槽２０に貯水された洗浄液Ｌ（水）中に配置された濃度検出センサ２５は、洗浄液Ｌが搬送ベルト１１をクリーニングする以前の初期段階では、発光ダイオード５０ａからの光の多くがフォトトランジスタ５１ａに到達することができる。表面にインク滴を吐出する空吐出を多数回行われた搬送ベルト１１をクリーニングした以降の段階では、発光ダイオード５０ａから発せられた光の多くは、洗浄液Ｌ（水）中に洗浄されたインクによって吸収されて、フォトトランジスタ５１ａに到達する光量はわずかとなる。
【００５０】
こうした洗浄液Ｌが搬送ベルト１１をクリーニングする以前の初期段階と、表面にインク滴を吐出する空吐出を多数回行われた搬送ベルト１１をクリーニングした以降の段階におけるフォトトランジスタ５１ａが受光した光の量に比例した電圧値が、フォトトランジスタ５１ａからアナログ信号として出力され、出力されたアナログ信号はＡＤ変換器５２においてデジタル信号に変換され、変換されたデジタル信号は、出力信号として制御部９に出力される。
【００５１】
制御部９では、搬送ベルト１１をクリーニングする以前の初期段階と、搬送ベルト１１をクリーニングした以降の段階における、フォトトランジスタ５２が受光した光の量に比例した電圧値の差を算出して、制御部９のＰＲＯＭに保存されているインク濃度を判定するための基準としてのテーブル値と比較して、算出値が所定値に達した場合に、インク濃度が所定値に達したことを判定する。そして、インク濃度が所定値に達したことを報知部１０に出力する。この時、ユーザが操作すると、リニアモータ１７にリフト６（ガイド５）を移動（下降）する駆動信号を出力するようにしてもよい。
【００５２】
報知部１０では、制御部９の出力信号に基づいてインクジェット記録装置１の本体表面に配置したＬＥＤランプ（図示しない）を点燈表示する。一方、リフト６（ガイド５）が下降することにより、ガイド５に案内、保持された洗浄液保持容器４が、搬送ベルト１１の従動ローラ１３の部位が洗浄液Ｌに水没して洗浄液Ｌ中を通過可能な第１の位置から、従動ローラ１３の部位が洗浄液Ｌと離れた第２の位置に移動して、洗浄液保持容器４を装置本体１００から着脱（交換）することができる。
【００５３】
インク濃度が所定値に達して交換された洗浄液保持容器４は、蓋部２１を閉操作して洗浄槽２０内の洗浄液Ｌが漏れ出さないように洗浄槽２０に固定する。そして、蓋部２１が洗浄槽２０に固定された洗浄液保持容器４は、例えば洗浄液保持容器の提供（販売）メーカーに送付して、廃液処理がなされる。そして、提供（販売）メーカーでは、廃液処理後の洗浄液保持容器を再利用することができる。
【００５４】
以上説明したように、実施形態によれば、以下の効果が得られる。
【００５５】
（１）洗浄液保持容器４がインクジェット記録装置１の本体１００に着脱（交換）が可能なことにより、搬送ベルト１１の表面を清掃した洗浄液Ｌがインク成分による濃度上昇時には、洗浄液保持容器４を交換することにより、常に洗浄液Ｌの洗浄能力の安定化を図るとともに、小型軽量のインクジェット記録装置１を提供することができる。
【００５６】
（２）洗浄槽２０の搬送ベルト１１の搬送方向下流側に、搬送ベルト１１の表面のワイピングを行うワイパー２３，２４を備えたことにより、搬送手段の表面に付着した機能液残りを拭き取る（除去する）とともに、搬送ベルト１１に付着した洗浄液Ｌを拭き取ることでき、用紙Ｐがインク残りで汚れることを防止するとともに、洗浄液Ｌの濡れによる印刷画像の滲み、あるいは濡れによる表面形状の歪み発生（コックリング）などによる、印刷不良や印刷不能を防止することができる。
【００５７】
（３）ガイド５にセットされた洗浄液保持容器４をリフト６により移動することで、必要時に洗浄液保持容器４を容易に取外す（交換する）ことができ、常に汚れのない用紙Ｐの搬送が可能なインクジェット記録装置１を得ることができる。
【００５８】
（４）ユーザが処理しなければならない廃棄物を少数とし、しかも洗浄液保持容器４の提供（販売）メーカーにおいて、汚れた洗浄液Ｌ（廃液）処理後の洗浄液保持容器４を再利用することが可能であり、環境にやさしいインクジェット記録装置１を提供することができる。
（その他の変形例）
その他の変形例を図４、図５、図６に示す。
図４〜図６に示す実施形態は、いずれも搬送手段を洗浄する洗浄部の洗浄力強化を目的とする実施形態である。図４は、洗浄液保持容器に振動発生装置を備えたインクジェット記録装置の部分側面図であり、図５は、洗浄液保持容器の洗浄液Ｌに浸漬する従動ローラの内部に振動発生装置を備えたインクジェット記録装置の部分側面図であり、図６は、洗浄液保持容器の内部に洗浄ローラを備えたインクジェット記録装置の部分側面図である。なお、図４〜図６に示す実施形態は、洗浄力強化の目的で追加したあらたな構成以外は、図１〜図３に示す実施形態と同様であり、同様な部分の説明は省略する。
【００５９】
（変形例１）
図４において、洗浄液保持容器４１は、洗浄槽２０１の底面に振動発生装置３０を備えている。振動発生装置３０は、例えば強誘電体のチタン酸バリウムの圧電セラミクスからなる圧電素子を用いた超音波発生装置であり、制御部９からの交流電圧信号により圧電素子が伸縮し超音波を発生する。
【００６０】
この様に構成された洗浄液保持容器４１は、振動発生装置３０により発生した超音波振動が、洗浄槽２０１を介して洗浄槽２０１内の洗浄液Ｌに伝播し、従動ローラ１３に支持された搬送ベルト１１が洗浄液保持容器４１（洗浄槽２０１）の洗浄液Ｌ中を移動しながら通過し、搬送ベルト１１に着弾したインク滴がクリーニング（清掃）される。
なお、振動発生装置３０は、洗浄槽２０１の底面に接触する位置のインクジェット記録装置１の本体１００に備えるように構成してもよい。
【００６１】
（変形例２）
図５において、搬送装置３は、従動ローラ１３１内に振動発生装置１３２を備えている。振動発生装置１３２は、例えば強誘電体のチタン酸バリウムの圧電セラミクスからなる圧電素子を用いた超音波発生装置であり、制御部９１には、超音波発生装置の電気的共振と機械的共振が一致するように制御するフィードバック制御部を有し、制御部９１からの交流電圧信号により圧電素子が伸縮し、従動ローラ１３１に振動を発生する。
【００６２】
この様に構成された従動ローラ１３１は、振動発生装置１３２により発生した振動により、従動ローラ１３に支持された搬送ベルト１１が洗浄液保持容器４（洗浄槽２０）の洗浄液Ｌ中を移動しながら通過し、搬送ベルト１１に着弾したインク滴がクリーニング（清掃）される。
【００６３】
（変形例３）
図６において、洗浄液保持容器４２は、洗浄槽２０２の内部に洗浄ローラ３１を備えている。洗浄ローラ３１は、吸湿性を有する多孔質部材からなるローラ部３１ａと、ローラ軸部３１ｂから構成され、搬送ベルト１１の従動ローラ１３が洗浄液Ｌに略半浸漬して洗浄液Ｌ中を通過する従動ローラ１３の下面に接触する位置に、ローラ軸部３１ｂが洗浄槽２０２の側壁に回転可能に支持されている。
【００６４】
この様に構成された洗浄液保持容器４２は、インク滴が着弾した搬送ベルト１１が洗浄液保持容器４２（洗浄槽２０２）の洗浄液Ｌ中を移動しながら通過することによりインク滴がクリーニング（清掃）され、さらに、搬送ベルト１１が洗浄ローラ３１のローラ部３１ａに接触しながら移動することにより、搬送ベルト１１に着弾したインク滴残りがクリーニングされる。
【００６５】
以上の実施形態において、本発明の液滴吐出装置の一例として、機能液としてのインクを記録媒体としての用紙Ｐに吐出して、画像を印刷するインクジェット記録装置１を用いて説明したが、記録媒体は用紙Ｐに限らず、フィルム、織布、不織布等の他のメディアや、ガラス基板、シリコン基板等の各種基板のようなワークであってもよい。また、機能液としては特に限定されず、例えばカラーフィルタのフィルタ材料を含むインク、有機ＥＬ（Electro Luminescence）装置におけるＥＬ発光層を形成するための発光材料など、各種の材料を含む液体とすることができる。
【００６６】
また、濃度検出回路は、インクジェット記録装置１本体内に配置された回路基板上に構成された場合で説明したが、洗浄液保持容器４に配置した場合であってもよい。
また、ガイド５（ガイド５にセットされた洗浄液保持容器４）の移動は、制御部９の制御信号に基づいて、リフト６の本体に組み込まれたリニアモータ１７を駆動して、装置本体の上下方向に移動させる場合で説明したが、手動で移動させる方法であってもよい。
【００６７】
洗浄液保持容器４の蓋部２１は、リフト６による洗浄液保持容器４の移動時に自動的に開閉する機構で構成し、インクジェット記録装置１の長期間の停止時（不使用時）に、制御部９の制御により、リフト６が下降するとともに洗浄液保持容器４の蓋部２１が洗浄槽２０の開口部に蓋することで、洗浄液の蒸発を防止すると共に、搬送ベルト１１が洗浄槽２０の洗浄液Ｌ中に浸かり続けることによって発生する変形や劣化を防止するようにしてもよい。
【００６８】
また、搬送ベルト１１は、撥液性の材質として、フッ素樹脂のＦＥＰを用いた場合で説明したが、これに限定されず、ＰＴＦＥ（ポリテトラフルオロエチレン）、ＰＦＡ（テトラフルオロエチレン・パーフルオロアルキルビニルエーテル共重合体）、ＥＴＦＥ（テトラフルオロエチレン・エチレン共重合体）、ＰＶＤＦ（ポリビニリデンフルオライド）、ＰＣＴＦＥ（ポリクロロトリフルオロエチレン）などが挙げられる。
【００６９】
さらに、搬送ベルト１１は、フッ素樹脂のＦＥＰで構成した場合で説明したが、ベルト本体が金属からなり、少なくともベルトのヘッドユニット２側の面に、撥液性の材質として、例えばフッ素系樹脂のＦＥＰを貼り付けるなどの２層構成の場合、あるいはフッ素樹脂をコーティングした構成であっても良い。
【００７０】
また、濃度検出センサ２５は、洗浄液保持容器（カートリッジ）４に備えるのではなく、装置本体１００に設けてもよい。例えば、洗浄液保持容器４の相対向する洗浄槽２０側面に一対の透明窓を設け、各透明窓の外側位置に濃度検出センサ２５の発光部５０と受光部５１をそれぞれ対向配置させる。
【図面の簡単な説明】
【００７１】
【図１】本発明の一実施形態におけるインクジェット記録装置の概略構造を示す模式図。
【図２】洗浄液保持容器の説明図。
【図３】濃度検出センサの検出方法を模式的に示す回路図。
【図４】洗浄液保持容器に振動発生装置を備えたインクジェット記録装置の部分側面図。
【図５】従動ローラの内部に振動発生装置を備えたインクジェット記録装置の部分側面図。
【図６】洗浄ローラを備えたインクジェット記録装置の部分側面図。
【符号の説明】
【００７２】
１…液滴吐出装置としてのインクジェット記録装置、２…記録部としてのヘッドユニット、３…搬送装置、４，４１，４２…洗浄部あるいはカートリッジとしての洗浄液保持容器、５…ガイド、６…移動手段としてのリフト、７…給紙ユニット、８…排紙ユニット、９…制御部、１０…報知部、１１…搬送手段としての搬送ベルト、１２…駆動ローラ、１３，１４，１５，１３１…従動ローラ、２０，２０１…洗浄槽、２１…蓋部、２２…ヒンジ、２３，２４…ワイピング手段としてのワイパー、２５…濃度検出センサ、３０，１３２…振動発生装置、３１…洗浄ローラ、５０…発光部、５１…受光部、５２…ＡＤ変換器、１００…液滴吐出装置本体としての装置本体、Ｌ…液体としての洗浄液、Ｐ…記録媒体としての用紙。
【図１】
2005319650.tif 000003
【図２】
2005319650.tif 000004
【図３】
2005319650.tif 000005
【図４】
2005319650.tif 000006
【図５】
2005319650.tif 000007
【図６】
2005319650.tif 000008